【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
骨インプラントであって、
ｉ．前記インプラントを骨内に固定するための第１骨取付部品であって、前記第１骨取付部品は、内部螺貫ボア、遠位端、および近位端を含み、前記骨取付部品の全長は前記骨内への埋め込みに適している、第１骨取付部品と、
ｉｉ．前記骨取付部品とは独立しかつ分離可能な第２骨取付部品であって、前記第２骨取付部品の全長は、前記骨内への埋め込みに適しており、かつ前記骨内への最初の埋め込み時に前記第１骨取付部品に固定されるようにさらに適合され、かつ追加の部品に固定されるようにさらに適合される、第２骨取付部品と、
を備える、インプラント。
【請求項２】
前記インプラントは第１接続部品を含み、前記第１接続部品は、前記第２骨取付部品の近位面が前記第１骨取付部品の遠位端に座するように、前記骨内への最初の埋め込み時に前記第２骨取付部品を前記第１骨取付部品に固定する、請求項１に記載のインプラント。
【請求項３】
前記インプラントは、補綴物を受け入れ、かつ前記第２骨取付部品により前記第１骨取付部品から相隔たるための、前記第２骨取付部品との上覆関係において前記第２骨取付部品に独立して固定されるように適合されたアバットメントをさらに備える、請求項１に記載のインプラント。
【請求項４】
遠位凹部が骨ドリルビットを用いて骨内に準備され、その後１つ以上のボア穴が前記遠位凹部のフロア部の骨内にあけられる、請求項１に記載のインプラント。
【請求項５】
デンタル骨インプラントであって、
ｉ．ある長さを有し、かつ前記長さに沿って概して一定の楕円形または偏菱形の外側断面を有するヘッド部品と、
ｉｉ．前記インプラントを顎骨に取り付けるための、前記ヘッド部品とは独立しかつ分離可能な複数の歯根ネジであって、各歯根ネジは、外部螺貫穴を含み、かつ前記歯根ネジの遠位端上に内部螺貫ボアを有する、歯根ネジと、
ｉｉｉ．それぞれ、前記ヘッド部品が前記歯根ネジ上に遠位に座するように、前記ヘッド部品を前記歯根ネジのうちの１つに取り付けるための複数の接続ネジと、
ｉｖ．デンタル補綴物を受け入れ、かつ少なくとも前記ヘッド部品により前記歯根ネジから相隔たるための、前記ヘッド部品との上覆関係において前記ヘッド部品に取付可能なアバットメント部品と、
ｖ．螺貫穴を含むアバットメントネジであって、前記アバットメントネジは、前記アバットメント部品を前記ヘッド部品に固定する、アバットメントネジと、を備え、
前記ヘッド部品は、対向する端部から延長するボアを含み、かつ前記接続ネジを受け入れ、前記接続ネジは、前記接続ネジの遠位面が制限フランジにより前記ヘッド部品の端部間に引き込まれるように位置決めされ、前記接続ネジは、前記ヘッド部品、前記歯根ネジ、および前記接続ネジが螺貫係合により全て接続されるように、前記歯根ネジの前記螺貫ボアにねじ込むために外側に螺貫され、前記ヘッド部品のボアの一部は、前記アバットメント部品を前記ヘッド部品に前記アバットメントネジで取り付けることができるように内側に螺貫され、前記歯根ネジの螺貫外部穴は、取り付けられる前記ヘッド部品のボアの直径より大きい外径をそれぞれ有し、前記インプラントは、前記顎骨内に形成されたフロア面および周辺側壁により画定される、非円形の凹部内に埋め込むことができるように構成され、前記歯根ネジが、前記フロア面から前記顎骨内に延長する穴内で前記顎骨を螺入可能に係合するように、前記ヘッド部品は、前記歯根ネジを上覆し、かつ前記フロア面も係合させ、前記接続ネジは、前記ヘッド部品を前記歯根ネジと接続し、前記アバットメント部品は、前記ヘッド部品を上覆し、かつ前記アバットメントネジで前記ヘッド部品に接続される、デンタル骨インプラント。
【請求項６】
デンタル骨インプラントを埋め込むためのモジュール設計の２段部・複数歯根・デンタルインプラントシステムであって、前記インプラントは、
複数の歯根ネジ部品を含む第１段部と、ヘッド段部を含む第２段部と、を含む、骨内に配置される複数の着脱可能でかつモジュール式の段部と、
骨を通じて骨粉砕処置を行うための１次テンプレートであって、前記テンプレートは、ヘッド部品の埋め込みを準備するために粉砕する骨領域を画定する、１次テンプレートと、
前記１次テンプレートにより画定された形状で前記骨内に凹部を形成するための外科用骨粉砕ドリルであって、前記１次テンプレートおよび前記外科用骨粉砕ドリルは、実質的に水平なフロア部を有する非円形の凹部を準備するのに適している、外科用骨粉砕ドリルと、
少なくとも１つの歯根ネジの埋め込みを準備するために骨穿孔する歯根ネジ領域を画定するため、かつさらにそこを通じて前記少なくとも１つの歯根ネジを配置するための２次テンプレートと、
前記インプラントシステムを配置するための外科用治具であって、前記外科用治具は、
内側フレームであって、前記内側フレームは、前記１次テンプレートおよび前記２次テンプレートを着脱可能に保持および固定するように配列される、内側フレームと、
前記内側フレームを保持し、かつ水平軸および垂直軸に沿って前記内側フレームの位置決めを可能にするように配列された外側フレームと、
前記外科用治具を前記骨上に固定させるように配列された少なくとも１つのクランプと、を備える、外科用治具と、を備え、
前記１次テンプレートおよび前記２次テンプレートは、両方とも、前記外科用治具に着脱可能に嵌合する、インプラントシステム。
【請求項７】
前記外科用治具は、
アクセス穴と、前記１次テンプレートおよび前記２次テンプレートに固定するための１つ以上の固定機構と、を有する挿入具であって、前記挿入具は、外科処置の粉砕工程の最中に前記１次テンプレートを支持する、挿入具と、
開放中央部を有するプラットフォームであって、前記プラットフォームは前記挿入具を支持し、前記プラットフォームおよび前記挿入具は、前記部品を共に固定するための対応する機構を含む、プラットフォームと、
を含む、請求項６に記載のインプラントシステム。
【請求項８】
デンタルインプラントを埋め込むためのインプラントシステムであって、前記デンタルインプラントは、
そこを通過する少なくとも１つのボア穴を有するヘッド部品であって、前記少なくとも１つのボア穴のそれぞれは、近位から遠位まで、受け口と、フランジ開口部と、非螺貫部分と、螺貫部分と、を備え、前記ヘッド部品は、前記非螺貫部分から前記受け口を部分的に分離する内側フランジと、前記少なくとも１つのボア穴のうちの対応するものの受け口に嵌合することにより、患者の顎骨内にヘッドを固定させるように配列された少なくとも１つの歯根ネジであって、各歯根ネジは、ヘッドがなくかつ遠位で内側の螺貫穴をさらに有する、歯根ネジと、対応するフランジ開口部を通じて、かつ対応する内側フランジを横切って、前記少なくとも１つの歯根ネジのうちの対応するもの遠位で内側の螺貫穴に接続するように配列された少なくとも１つの接続ネジと、を備え、前記フランジは、前記歯根ネジから前記接続ネジのヘッドを分離し、かつ接続部を固定するようにそこから締結圧力を受け入れるように配列され、前記接続ネジの頭部は、前記ヘッド部品内の対応するボア穴の非螺貫部分を占有する、ヘッド部品、を備え、
前記ヘッド部品の前記少なくとも１つのボア穴の前記非螺貫部分は、少なくとも１つの対応するアバットメントネジを受け入れるように配列され、前記インプラントシステムは、
骨を通じて骨穿孔処置を行うための１次テンプレートであって、前記テンプレートは、前記ヘッド部品の埋め込みを準備するために穿孔する顎領域を画定し、前記骨穿孔処置は、骨ドリルを用いて実質的な水平なフロア部を有する非円形の凹部を準備することを含む、１次テンプレートと、
前記１次テンプレートにより画定された形状で患者の顎内に前記凹部を形成するための外科用骨ドリルと、
前記１次テンプレートで前もって準備された前記凹部のフロア部を通じて、前記少なくとも１つの歯根ネジの埋め込みを準備するために穿孔する歯根ネジ領域を画定するため、かつさらにそこを通じて前記少なくとも１つの歯根ネジを配置するための２次テンプレートと、
前記インプラントシステムを配置するための外科用治具であって、前記外科用治具は、
前記１次テンプレートおよび前記２次テンプレートを着脱可能に保持および固定するように配列されたフレームと、
患者の口内に前記外科用治具を固定させるように配列された少なくとも１つのクランプと、を備える、外科用治具と、を備え、
前記１次テンプレートおよび前記２次テンプレートは、両方とも、前記外科用治具に着脱可能に嵌合し、かつ、
前記インプラントシステムは、前記少なくとも１つの歯根ネジ上での前記ヘッド部品の正確かつ密接な配置をもたらし、前記歯根ネジの遠位で末端の外部表面上へ前記ヘッド部品の外部近位面を嵌合させ、前記ヘッド部品のボアに少なくとも１つの第１接続ネジをねじ込み、前記少なくとも１つの歯根ネジの内部螺貫ボアを係合させるために、遠位凹部である前記凹部を穿孔することにより前記デンタルインプラントを埋め込み、その後に骨ボア穴を穿孔し、その後に多数の歯根ネジを前記骨ボア穴に埋め込み、その後に前記ヘッド部品を前記遠位凹部に埋め込むことができる、インプラントシステム。